(57)【要約】【課題】非筆記状態における筆記体８の筆記先端８ａが軸筒２の先端開口部４ａに没入した状態で、軸筒２の先端開口部４ａ側が下に向いて落下しても、筆記体８の筆記先端８ａが軸筒２の先端開口部４ａから突出しない構造のノック式筆記具１を得る。【解決手段】軸筒２内に、軸筒２の軸心に沿って前後動可能な錘体１０と、錘体１０の前方で隣接する挟持体１１とを備え、軸筒２が落下した際に錘体１０が慣性力で挟持体１１に衝接することにより、挟持体１１が軸筒２の径方向における中心へ向かって変形または変位して、挟持体１１で筆記体８の外周面を挟持する。【選択図】図４
2013063541.tif 000002
【特許請求の範囲】
【請求項１】
軸筒内に設けたカム溝に沿って摺動可能な摺動突起を有したノック体と、ノック体の前方でカム溝を摺動してカム溝の前端部に設けた係止部に係止する係止突起を有した回転カムとを、ノック体に形成した軸心方向に対する傾斜面で構成された凹凸状の噛合部に、回転カムに形成した噛合部に噛合う被噛合部を噛合わせて配設し、ノック体を押動することにより回転カムを摺動させると共に、回転カムの回転に伴い軸筒内に収容した筆記体の筆記先端を軸筒の先端開口部から出没させる構造のノック式筆記具であって、軸筒内に、軸筒の軸心に沿って前後動可能な錘体と、錘体の前方で隣接する挟持体とを備え、軸筒が落下した際に錘体が慣性力で挟持体に衝接することにより、挟持体が軸筒の径方向における中心へ向かって変形または変位して、挟持体が筆記体の外周面を挟持する構造のノック式筆記具。
【発明の詳細な説明】
【技術分野】
【０００１】
本発明は、軸筒の後端部に配設したノック体を押圧操作することにより、軸筒内にバネで後方へ弾発して収容した筆記体の筆記先端を軸筒の先端開口部より出没させる繰出機構を有したノック式筆記具に関する。
【背景技術】
【０００２】
従来、ノック式筆記具では、軸筒内に設けたカム溝に沿って摺動可能な摺動突起を有したノック体と、ノック体の前方でカム溝を摺動して該カム溝の前端部に設けた係止部に係止する係止突起を有した回転カムとを、ノック体に形成した軸心方向に対する傾斜面で構成された凹凸状の噛合部に、回転カムに形成した噛合部に噛合う被噛合部を噛合わせて配設し、ノック体を押動することにより回転カムを摺動させると共に、回転カムの回転に伴い軸筒内に収容した筆記体の筆記先端を軸筒の先端開口部から出没させるノック式筆記具がよく知られている。
【０００３】
前述のノック式筆記具では、非筆記状態において筆記体の筆記先端が軸筒の先端開口部に没入した状態であっても、軸筒の先端開口部側が下を向いて落下した際の落下衝撃による慣性力で、コイルバネで後方へ弾発されている状態の筆記体の筆記先端が、軸筒の先端開口部から突出してしまい、筆記先端を破損や損傷させてしまうという問題があった。
【０００４】
前記問題を解消するためには、非筆記状態において筆記体の筆記先端が軸筒の先端開口部から突出しないように、筆記体を後方（ノック体側）へ付勢するコイルバネの弾発力を強く設定することが考えられるが、前記バネの弾発力を強くすると、筆記体の筆記先端を軸筒の先端開口部から出没させるためのノック体の押動操作が重くなり、筆記具としての使用感を損ねてしまうという問題があった。
【先行技術文献】
【特許文献】
【０００５】
【特許文献１】特開２００３−３０５９９０号公報
【発明の概要】
【発明が解決しようとする課題】
【０００６】
軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具において、非筆記状態における筆記体の筆記先端が軸筒の先端開口部に没入した状態で、軸筒の先端開口部側が下に向いて落下しても、筆記体の筆記先端が軸筒の先端開口部から突出しない構造のノック式筆記具を得ることにある。
【課題を解決するための手段】
【０００７】
本発明は、
「軸筒内に設けたカム溝に沿って摺動可能な摺動突起を有したノック体と、ノック体の前方でカム溝を摺動してカム溝の前端部に設けた係止部に係止する係止突起を有した回転カムとを、ノック体に形成した軸心方向に対する傾斜面で構成された凹凸状の噛合部に、回転カムに形成した噛合部に噛合う被噛合部を噛合わせて配設し、ノック体を押動することにより回転カムを摺動させると共に、回転カムの回転に伴い軸筒内に収容した筆記体の筆記先端を軸筒の先端開口部から出没させる構造のノック式筆記具であって、軸筒内に、軸筒の軸心に沿って前後動可能な錘体と、錘体の前方で隣接する挟持体とを備え、軸筒が落下した際に錘体が慣性力で挟持体に衝接することにより、挟持体が軸筒の径方向における中心へ向かって変形または変位して、挟持体が筆記体の外周面を挟持する構造のノック式筆記具。」である。
【０００８】
錘体が挟持体に衝接した際に、軸筒の径方向における中心へ向かって挟持体を変形させる方法としては、挟持体をゴムやスポンジなどの弾性材料で形成したり、挟持体の一部を樹脂で板状に形成して、錘体が挟持体へ当接した際に、挟持体の変形が軸筒の中心方向へ生じるように、挟持体の側壁の中間部に中心へ向かって膨出する膨出部を設けるとよい。また軸筒の径方向における中心へ向かって挟持体を変移させる方法としては、挟持体を複数に分割した挟持部材で構成し、軸筒内に傾斜部や段部を設け、錘体が挟持体へ衝接した際に、挟持部材が傾斜部や段部に当接することにより中心方向へずれる構造とするとよい。
【発明の効果】
【０００９】
本発明のノック式筆記具は前述したような構造なので、筆記体の筆記先端が軸筒の先端開口部に没入した状態で軸筒の先端開口部側が下に向いて落下した場合でも、挟持体が軸筒の径方向における中心へ向かって変形または変位することで、挟持体が筆記体の外周面を挟持して、落下時の慣性力による筆記先端の飛び出しを規制できるので、筆記体を後方へ付勢するコイルバネの弾発力をノック操作がし難くなるほど強く設定する必要がなく、筆記先端の破損や損傷を防ぐことができるものとなった。
【図面の簡単な説明】
【００１０】
【図１】図１は、実施例１のノック式筆記具における縦断面図である。
【図２】図２は、図１のＡ−Ａ線断面図である。
【図３】図３は、実施例１のノック式筆記具における分解図である。
【図４】図４は、実施例１のノック式筆記具を、筆記体の筆記先端が軸筒内に没入した状態で床に落下させた状況を示す縦断面図である。
【図５】図５は、実施例２のノック式筆記具における縦断面図である。
【図６】図６は、図５のＢ−Ｂ線断面図である。
【図７】図７は、実施例２のノック式筆記具における分解図である。
【図８】図８は、実施例２のノック式筆記具を、筆記体の筆記先端が軸筒内に没入した状態で床に落下させた状況を示す縦断面図である。
【図９】図９は、実施例３のノック式筆記具における縦断面図である。
【図１０】図１０は、図９のＣ−Ｃ線断面図である。
【図１１】図１１は、実施例３のノック式筆記具における分解図である。
【図１２】図１２は、実施例３のノック式筆記具を、筆記体の筆記先端が軸筒内に没入した状態で床に落下させた状況を示す縦断面図である。
【発明を実施するための形態】
【００１１】
以下、図面を参照して本発明におけるノック式筆記具の実施例１〜３について説明を行う。尚、説明を分かりやすくするために、図面中の同様の部材、同様の部分については同じ番号を付してある。本実施例の説明においては図面の下方を前方と表現し、反対側を後方と表現する。
【実施例１】
【００１２】
図１、図２、図３及び図４に基づいて本発明における実施例１のノック式筆記具を説明する。本実施例のノック式筆記具１における軸筒２は、軸筒部材３の前方に先口部材４を装着し、軸筒部材３の後方にクリップ５を形成し、軸筒部材３の後方開口部３ａからノック体６を突出させている。ノック式筆記具１に設けた回転カム機構は、軸筒部材３の内面にカム溝３ｂを形成してノック体６の前方の側面に形成した摺動突起６ａを摺動可能に配し、ノック体６の下方に開口を形成した凹部６ｂの内方に回転カム７の後方小径部７ａを前後方向へ摺動可能に挿着し、回転カム７の側面に、カム溝３ｂに対して摺動可能な係止突起７ｂを形成し、図示しないがノック体６に形成した軸心方向に傾斜面で構成された凹凸状の噛合部に回転カム７に形成した被噛合部を噛合わせて配設し、ノック体６を押動することにより回転カム７を摺動させながら回転させ、回転カム７に挿着したボールペンレフィル８の筆記先端８ａを、コイルスプリング９の弾発力に抗して先口部材４の先端開口部４ａから突出した状態を維持させ、ノック体を再度押動することによりコイルスプリング９の弾発力で筆記先端８ａを先端開口部４ａに没入させることができる構造である。
【００１３】
本実施例では、ボールペンレフィル８の外側に円筒形状のステンレス製の錘体１０を配設してあり、錘体１０の前方にはポリエチレンで成形した挟持体１１を同じくボールペンレフィル８の外側に配設した状態で隣接させてある。図３に示すように挟持体１１は、前後に設けた円環部１１ａを、軸心に沿った方向に延び内方へ膨出するように湾曲させた４本の挟持部１１ｂで連結させた形態に射出成形で形成してある。図１に示すように錘体１０の貫通孔１０ａおよび挟持体１１の円環部１１ａには、ボールペンレフィル８を挿通してあり、錘体１０の後端部には軸筒部材３の内側に形成した段部３ｃを当接させて錘体１０の後退を規制し、挟持体１１の前端部には先口部材４の後端部４ｂを当接させて挟持体１１の前進を規制してあることから、錘体１０および挟持体１１の前後および左右の動きが規制されて筆記時におけるがたつきを防止できる。
【００１４】
本実施例のノック式筆記具１は、図４に示すように、ボールペンレフィル８の筆記先端８ａが先口部材４の先端開口部４ａに没入した状態で落下して地面に衝突した際には、錘体１０が慣性力で挟持体１１に衝接するよう前進し、先口部材４の後端部４ｂで前進が規制された挟持体１１は、錘体１０が衝接した際の力により変形して挟持部１１ｂをさらに内方へ膨出させ（仮想線で表現）、結果、挟持部１１ｂがボールペンレフィル８の外周面を挟持するので、落下衝撃による慣性力でコイルスプリング９を圧縮して前進しようとするボールペンレフィル８の動きを抑制して、筆記先端８ａが先口部材４の先端開口部４ａから突出して床Ｇに接触することはなく、筆記先端８ａの破損や損傷を防ぐことができた。
【実施例２】
【００１５】
次に、図５、図６、図７及び図８に基づいて本発明における実施例１のノック式筆記具を説明する。本実施例のノック式筆記具１２における軸筒２は、軸筒部材３の前方に先口部材４を装着し、軸筒部材３の後方にクリップ５を形成し、軸筒部材３の後方開口部３ａからノック体６を突出させている。尚、ノック式筆記具１２に設けた回転カム機構は、前述の実施例１のノック式筆記具１と同様であるので説明を省略する。
【００１６】
本実施例では、ボールペンレフィル８の外側に円筒形状のステンレス製の錘体１３を配設してあり、錘体１３の前方には発泡ウレタンで成形した挟持体１４を同じくボールペンレフィル８の外側に配設した状態で隣接させてある。図７に示すように挟持体１４は、外面が同径の円筒形状で内面１４ａの中央部１４ｂを内方へ膨出させた形状に射出成形してある。図５に示すように錘体１３の貫通孔１３ａおよび挟持体１４の貫通孔１４ｃには、ボールペンレフィル８を挿通してあり、錘体１３の後端部には軸筒部材３の内側に形成した段部３ｃを当接させて錘体１３の後退を規制し、挟持体１４の前端部には先口部材４の後端部４ｂを当接させて挟持体１４の前進を規制してあることから、錘体１３および挟持体１４の前後および左右の動きが規制されて筆記時におけるがたつきを防止できる。
【００１７】
本実施例のノック式筆記具１２は、図８に示すように、ボールペンレフィル８の筆記先端８ａが先口部材４の先端開口部４ａに没入した状態で落下して地面に衝突した際には、錘体１３が慣性力で挟持体１４に衝接するよう前進し、先口部材４の後端部４ｂで前進を規制された挟持体１４は、錘体１３が衝接した際の力により変形し中央部１４ｂをさらに内方へ膨出させ（仮想線で表現）、結果、挟持体１４の中央部１４ｂがボールペンレフィル８の外周面を挟持するので、落下衝撃による慣性力でコイルスプリング９を圧縮して前進しようとするボールペンレフィル８の動きを抑制して、筆記先端８ａが先口部材４の先端開口部４ａから突出して床Ｇに接触することはなく、筆記先端８ａの破損や損傷を防ぐことができた。
【実施例３】
【００１８】
次に、図９、図１０、図１１及び図１２に基づいて本発明における実施例３のノック式筆記具を説明する。本実施例のノック式筆記具１５における軸筒２は、軸筒部材３の前方に先口部材４を装着し、軸筒部材３の後方にクリップ５を形成し、軸筒部材３の後方開口部３ａからノック体６を突出させている。本実施例の軸筒部材３は前部軸筒部材３１と後部軸筒部材３２とを螺着で一体にしてある。尚、ノック式筆記具１５に設けた回転カム機構は、前述の実施例１のノック式筆記具１と同様であるので説明を省略する。
【００１９】
本実施例では、ボールペンレフィル８の後端にステンレス製の錘体１６を配設してあり、錘体１６の前方にはポリエチレンで成形した挟持体１７を同じくボールペンレフィル８の外側に配設した状態で隣接させてある。本実施例の錘体１６は、後方に大径部１６ａを形成し、前後を貫通する貫通孔１６ｂの前方には内向きの傾斜面１６ｃを設けてある。図１１に示すように挟持体１７は、同形状の二つの挟持部材１８の間に隙間Ｓ（図１０参照）を設け組み合わせてなり、前面および後面に前部傾斜面１８ａと後部傾斜面１８ｂとをそれぞれ形成し、後部傾斜面１８ｂと錘体１６の傾斜面１６ｃとが当接するように、前部傾斜面１８ａと前部軸筒部材３１の後端面に形成した内向きの傾斜面３１ａとが当接するように配設してある。尚、錘体１６の大径部１６ａと前部軸筒部材３１に形成した段部３１ｂとの間には、ボールペンレフィル８を後方に弾発しているコイルスプリング９より弾発力の小さなコイルスプリング１９を配設して、錘体１６を常時後方へ弾発するようにしてあり、錘体１６の後端部には後部軸筒部材３２の内側に形成した段部３２ａを当接させて錘体１６の後退を規制し、挟持体１７の前端部には前部軸筒部材３１に形成した傾斜面３１ａを当接させて挟持体１７の前進を規制してあり、錘体１６の貫通孔１６ｂおよび二つで組み合わせる挟持部材１８の円弧状の内側面１８ｃ間にはボールペンレフィル８を挿通してあることから、錘体１６および挟持体１７の前後および左右の動きが規制されて筆記時におけるがたつきを防止できる。
【００２０】
本実施例のノック式筆記具１５は、図１２に示すように、ボールペンレフィル８の筆記先端８ａが先口部材４の先端開口部４ａに没入した状態で落下して地面に衝突した際には、錘体１６が慣性力で挟持体１７に衝接し、挟持体１７を構成する挟持部材１８の前部傾斜面１８ａが前部軸筒部材３１の傾斜面３１ａに当接し、挟持部材１８の後部傾斜面１８ｂが錘体１６の傾斜面１６ｃに当接するので、二つの挟持部材１８が軸筒３の径方向における中心に向かって変位して、結果、挟持部材１８の円弧状の内側面１８ｃがボールペンレフィル８の外周面を挟持するので（仮想線で表現）、落下衝撃による慣性力でコイルスプリング９を圧縮して前進しようとするボールペンレフィル８の動きを抑制して、筆記先端８ａが先口部材４の先端開口部４ａから突出して床Ｇに接触することはなく、筆記先端８ａの破損や損傷を防ぐことができた。
【産業上の利用可能性】
【００２１】
本発明は、軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具において、落下による筆記体の筆記先端の損傷を防ぎたい場合に適用する。
【符号の説明】
【００２２】
１…実施例１のノック式筆記具、２…軸筒、
３…軸筒部材、３ａ…後方開口部、３ｂ…カム溝、３ｃ…段部、
３１…前部軸筒部材、３１ａ…傾斜面、３１ｂ…段部、
３２…後部軸筒部材、３２ａ…段部、
４…先口部材、４ａ…先端開口部、４ｂ…後端部、
５…クリップ、６…ノック体、６ａ…摺動突起、６ｂ…凹部、
７…回転カム、７ａ…後方小径部、７ｂ…係止突起、
８…ボールペンレフィル、８ａ…筆記先端、
９…コイルスプリング、
１０…錘体、１０ａ…貫通孔、
１１…挟持体、１１ａ…円環部、１１ｂ…挟持部、
１２…実施例２のノック式筆記具、
１３…錘体、１３ａ…貫通孔、
１４…挟持体、１４ａ…内面、１４ｂ…中央部、１４ｃ…貫通孔、
１５…実施例３のノック式筆記具、
１６…錘体、１６ａ…大径部、１６ｂ…貫通孔、１６ｃ…傾斜面、
１７…挟持体、
１８…二つの挟持部材、１８ａ…前部傾斜面、１８ｂ…後部傾斜面、
１８ｃ…円弧状の内側面、
１９…コイルスプリング、
Ｇ…床。
【図１】
2013063541.tif 000003
【図２】
2013063541.tif 000004
【図３】
2013063541.tif 000005
【図４】
2013063541.tif 000006
【図５】
2013063541.tif 000007
【図６】
2013063541.tif 000008
【図７】
2013063541.tif 000009
【図８】
2013063541.tif 000010
【図９】
2013063541.tif 000011
【図１０】
2013063541.tif 000012
【図１１】
2013063541.tif 000013
【図１２】
2013063541.tif 000014